(57)【要約】【課題】  杖本体の内部に靴べらに対する収納深さが十分にとれない場合でも、長尺の靴べらを確実かつ容易に挿抜できるようにする。【解決手段】  靴べら５の軸部５１を上側スライド板５１Ａ及び下側スライド板５１Ｂにより伸長状態と短縮状態とで伸縮可能にし、上側スライド板５１Ａに形成した弾性を有するロックアーム７２を下側スライド板５１Ｂに係合させて、軸部５１を伸長状態でロックする。靴べら５を杖本体２の靴べら収納部２１に挿入させる際には、その挿入に伴って軸部５１を伸長状態からロック解除して短縮状態に変化させ、靴べら５を靴べら収納部２１から抜出させる際には、その抜出に伴って軸部５１を短縮状態から伸長状態に変化させてロックする。【選択図】  図１
2016193155.tif 000002
【特許請求の範囲】
【請求項１】
杖本体と、この杖本体の上端に設けられたグリップと、前記杖本体の内部に挿脱自在に収納される靴べらとからなる靴べら収納杖であって、
前記杖本体の内部には、その杖本体の上端から下向きに靴べら収納部を設け、
前記グリップには、そのグリップの上端に開口して前記杖本体の靴べら収納部に連通する靴べら挿脱用の貫通孔を設けており、
前記靴べらは、長尺の軸部と、この軸部の下端に設けられた踵すべり部とからなり、
前記靴べらの踵すべり部を下向きにして前記グリップの上端から前記貫通孔に挿入させるように構成し、この貫通孔により靴べらの踵すべり部を前記杖本体の靴べら収納部に導入させることによって、その靴べらをグリップの上端から貫通孔を通して杖本体の靴べら収納部まで収納させるように構成し、
さらに前記靴べらは、前記軸部を軸方向における伸長状態と短縮状態とで伸縮可能にするとともに、この軸部を伸長状態でロックするロック手段を設けており、
前記靴べらを前記杖本体の靴べら収納部に挿入させる際には、その挿入に伴って前記軸部を伸長状態からロック解除して短縮状態に変化させ、前記靴べらを前記杖本体の靴べら収納部から抜出させる際には、その抜出に伴って前記軸部を短縮状態から伸長状態に変化させてロックするように構成した靴べら収納杖。
【請求項２】
杖本体と、この杖本体の上端に設けられたグリップと、前記杖本体の内部に挿脱自在に収納される靴べらとからなる靴べら収納杖であって、
前記杖本体の内部には、その杖本体の上端から下向きに靴べら収納部を設け、
前記グリップには、そのグリップの上端に開口して前記杖本体の靴べら収納部に連通する靴べら挿脱用の貫通孔を設け、この貫通孔内に靴べらガイド用のガイド部を設けており、
前記靴べらは、長尺の軸部と、この軸部の下端に設けられた踵すべり部とからなり、この踵すべり部を幅方向に弾性変形可能にするとともに、この踵すべり部の幅方向外寸を前記杖本体の靴べら収納部の幅方向内寸よりも幅広に形成しており、
前記靴べらの踵すべり部を下向きにして前記グリップの上端から前記貫通孔に挿入させるように構成し、この貫通孔の前記ガイド部により靴べらの踵すべり部を弾性に抗して幅方向に湾曲させながら前記杖本体の靴べら収納部に導入させることによって、その靴べらをグリップの上端から貫通孔を通して杖本体の靴べら収納部まで収納させるように構成し、
さらに前記靴べらは、前記軸部を軸方向における伸長状態と短縮状態とで伸縮可能にするとともに、この軸部を伸長状態でロックするロック手段を設けており、
前記靴べらを前記杖本体の靴べら収納部に挿入させる際には、その挿入に伴って前記軸部を伸長状態からロック解除して短縮状態に変化させ、前記靴べらを前記杖本体の靴べら収納部から抜出させる際には、その抜出に伴って前記軸部を短縮状態から伸長状態に変化させてロックするように構成した靴べら収納杖。
【請求項３】
前記靴べらの軸部が、互いに軸方向に摺動される上側軸部材と下側軸部材とからなり、前記軸部のロック手段が、前記上側軸部材または前記下側軸部材の一方に設けられた弾性を有する係合部と、前記上側軸部材または前記下側軸部材の他方に設けられた被係合部とからなり、
前記係合部を弾性により前記被係合部に係合させて前記軸部を伸長状態でロックし、前記係合部を弾性に抗して前記被係合部から離脱させてロック解除するように構成した請求項１または２に記載の靴べら収納杖。
【請求項４】
前記靴べらの軸部が、互いに軸方向に摺動される上側軸部材と下側軸部材とからなり、前記軸部のロック手段が、前記上側軸部材または前記下側軸部材の一方に形成された弾性を有するロックアームと、このロックアームに形成された係合部及び作動片と、前記上側軸部材または前記下側軸部材の他方に形成された被係合部とからなり、
前記ロックアームの係合部を弾性により前記被係合部に係合させて前記軸部を伸長状態でロックし、前記杖本体の靴べら収納部に対する前記靴べらの挿入に伴って、前記ロックアームの作動片を前記貫通孔の内面に当接させることによって、前記係合部を弾性に抗して前記被係合部から離脱させてロック解除するように構成した請求項１または２に記載の靴べら収納杖。
【発明の詳細な説明】
【技術分野】
【０００１】
本発明は、歩行時の補助具として使用される杖に関し、特に靴べらを杖の内部に挿脱自在に収納するようにした靴べら収納杖に関する。
【背景技術】
【０００２】
高齢者や足腰が悪い人にとって、杖は歩行時の補助具として必需品である。また、高齢者や足腰が悪い人は、足腰を深く曲げ難い場合が多いので、靴を履くために靴べらが必要になる。ところが、例えば外出先などでは靴べらが常備されてない場所もあり、高齢者や足腰が悪い人にとっては、脱いだ靴を再び履くことに困難や不便を感じることが少なからずあった。
【０００３】
このようなことから、本発明の出願人は先に、靴べらを杖の内部に挿脱自在に収納できるようにした靴べら収納杖に関し、特許第５６９１０６７号として特許を取得した。この靴べら収納杖は、靴べらの踵すべり部を下向きにしてグリップの上端から貫通孔に挿入させるように構成し、この貫通孔のガイド部により靴べらの踵すべり部を弾性に抗して幅方向に湾曲させながら杖本体の靴べら収納部に導入させることによって、長尺の靴べらをグリップの上端から貫通孔を通して杖本体の靴べら収納部まで収納させるように構成したものである。
【０００４】
上記の靴べら収納杖によれば、靴べらを杖本体から出し入れする際に、グリップを杖本体から着脱する必要がなくなる。これによって、靴べらを杖本体から抜き出して靴を履いた後に靴べらを杖本体に収納するまでの間、グリップを握って身体を支えるという杖としての本来機能が全く損なわれないので、靴べらの使用時の安全性及び安心感を高めることができる。また、杖本体を大径化することなく、杖本体よりも幅広の踵すべり部を有する靴べらを採用して、この靴べらを杖本体に極めてスムーズに収納することが可能となる。このため、靴べらの幅広の踵すべり部を使って靴を履く際に、その利便性を十分に生かすことができる。
【先行技術文献】
【特許文献】
【０００５】
【特許文献１】特許第５６９１０６７号公報
【発明の概要】
【発明が解決しようとする課題】
【０００６】
ところで、歩行補助具としての杖において、杖の長さを使用者の状態に合わせて伸縮可能にしたものがあり、そのために様々な構造や機構が公知となっている。このような伸縮可能な杖の場合、一般的に、杖本体として上側パイプの内部に下側パイプが挿入されて、両パイプの接続部分に伸縮機構などが配置されているものが多い。
【０００７】
しかしながら、このような伸縮可能な杖本体については、上記の特許文献１における靴べら収納杖に適用しようとすると、杖本体の内部に靴べらの収納スペース（収納深さ）を十分にとることができない場合がある。このため、使いかっての良い長尺の靴べらを杖本体の内部に挿脱自在に収納するのが難しくなる、という改善すべき点が見い出された。
【０００８】
そこで本発明は、杖本体の内部に靴べらに対する収納深さが十分にとれない場合でも、長尺の靴べらを確実かつ容易に挿抜できるようにした靴べら収納杖を提供することを目的とする。
【課題を解決するための手段】
【０００９】
上記の目的を達成するために、本発明は、杖本体と、この杖本体の上端に設けられたグリップと、前記杖本体の内部に挿脱自在に収納される靴べらとからなる靴べら収納杖であって、前記杖本体の内部には、その杖本体の上端から下向きに靴べら収納部を設け、前記グリップには、そのグリップの上端に開口して前記杖本体の靴べら収納部に連通する靴べら挿脱用の貫通孔を設けており、前記靴べらは、長尺の軸部と、この軸部の下端に設けられた踵すべり部とからなり、前記靴べらの踵すべり部を下向きにして前記グリップの上端から前記貫通孔に挿入させるように構成し、この貫通孔により靴べらの踵すべり部を前記杖本体の靴べら収納部に導入させることによって、その靴べらをグリップの上端から貫通孔を通して杖本体の靴べら収納部まで収納させるように構成し、さらに前記靴べらは、前記軸部を軸方向における伸長状態と短縮状態とで伸縮可能にするとともに、この軸部を伸長状態でロックするロック手段を設けており、前記靴べらを前記杖本体の靴べら収納部に挿入させる際には、その挿入に伴って前記軸部を伸長状態からロック解除して短縮状態に変化させ、前記靴べらを前記杖本体の靴べら収納部から抜出させる際には、その抜出に伴って前記軸部を短縮状態から伸長状態に変化させてロックするように構成したものである。
【００１０】
また本発明は、杖本体と、この杖本体の上端に設けられたグリップと、前記杖本体の内部に挿脱自在に収納される靴べらとからなる靴べら収納杖であって、前記杖本体の内部には、その杖本体の上端から下向きに靴べら収納部を設け、前記グリップには、そのグリップの上端に開口して前記杖本体の靴べら収納部に連通する靴べら挿脱用の貫通孔を設け、この貫通孔内に靴べらガイド用のガイド部を設けており、前記靴べらは、長尺の軸部と、この軸部の下端に設けられた踵すべり部とからなり、この踵すべり部を幅方向に弾性変形可能にするとともに、この踵すべり部の幅方向外寸を前記杖本体の靴べら収納部の幅方向内寸よりも幅広に形成しており、前記靴べらの踵すべり部を下向きにして前記グリップの上端から前記貫通孔に挿入させるように構成し、この貫通孔の前記ガイド部により靴べらの踵すべり部を弾性に抗して幅方向に湾曲させながら前記杖本体の靴べら収納部に導入させることによって、その靴べらをグリップの上端から貫通孔を通して杖本体の靴べら収納部まで収納させるように構成し、さらに前記靴べらは、前記軸部を軸方向における伸長状態と短縮状態とで伸縮可能にするとともに、この軸部を伸長状態でロックするロック手段を設けており、前記靴べらを前記杖本体の靴べら収納部に挿入させる際には、その挿入に伴って前記軸部を伸長状態からロック解除して短縮状態に変化させ、前記靴べらを前記杖本体の靴べら収納部から抜出させる際には、その抜出に伴って前記軸部を短縮状態から伸長状態に変化させてロックするように構成したものである。
【００１１】
また本発明は、前記の靴べら収納杖において、前記靴べらの軸部が、互いに軸方向に摺動される上側軸部材と下側軸部材とからなり、前記軸部のロック手段が、前記上側軸部材または前記下側軸部材の一方に設けられた弾性を有する係合部と、前記上側軸部材または前記下側軸部材の他方に設けられた被係合部とからなり、前記係合部を弾性により前記被係合部に係合させて前記軸部を伸長状態でロックし、前記係合部を弾性に抗して前記被係合部から離脱させてロック解除するように構成したものである。
【００１２】
また本発明は、前記の靴べら収納杖において、前記靴べらの軸部が、互いに軸方向に摺動される上側軸部材と下側軸部材とからなり、前記軸部のロック手段が、前記上側軸部材または前記下側軸部材の一方に形成された弾性を有するロックアームと、このロックアームに形成された係合部及び作動片と、前記上側軸部材または前記下側軸部材の他方に形成された被係合部とからなり、前記ロックアームの係合部を弾性により前記被係合部に係合させて前記軸部を伸長状態でロックし、前記杖本体の靴べら収納部に対する前記靴べらの挿入に伴って、前記ロックアームの作動片を前記貫通孔の内面に当接させることによって、前記係合部を弾性に抗して前記被係合部から離脱させてロック解除するように構成したものである。
【発明の効果】
【００１３】
本発明の靴べら収納杖によれば、杖本体の靴べら収納部への靴べらの挿入に伴って、靴べらの軸部を伸長状態からロック解除して短縮状態に変化させ、靴べら収納部からの靴べらの抜出に伴って、軸部を短縮状態から伸長状態に変化させてロックする。これによって、靴べら収納部の収納深さが十分にとれない場合でも、靴べらの全体長を挿抜に伴って自動的に変化させるので、長尺の靴べらを確実かつ容易に挿抜することができる。したがって、靴べらを使用する度に軸部を両手で伸縮させるような煩わしい操作をすることなく、杖のグリップを握ったまま長尺の靴べらを簡単かつ安全に使用することが可能となる。
【図面の簡単な説明】
【００１４】
【図１】本発明の実施形態に係る靴べら収納杖で杖本体、グリップ及び靴べらの要部を示す斜視図である。
【図２】上記杖の全体を示す斜視図である。
【図３】上記杖のグリップを示し、（ａ）は平面図、（ｂ）は縦断面図である。
【図４】上記杖の靴べらを示し、部分背面図を含む分解斜視図である。
【図５】上記杖の靴べらで軸部のロック手段を示す分解斜視図である。
【図６】上記杖で靴べらの軸部の挿抜を示す縦断面図であり、（ａ）はロック状態、（ｂ）は切換状態、（ｃ）はロック解除状態である。
【図７】上記杖で靴べらの伸縮長さ関係を示す概略の縦断面図であり、（ａ）は挿入開始時または抜出終了時、（ｂ）は挿入中間時または抜出中間時、（ｃ）は挿入終了時または抜出開始時である。
【図８】上記杖で靴べらの踵すべり部の挿入状態を示し、（ａ）はグリップの貫通孔における平面視拡大断面図、（ｂ）は杖本体の靴べら収納部における拡大横断面図である。
【図９】別の実施形態に係る杖の靴べらで軸部のロック手段を示す分解斜視図である。
【図１０】さらに別の実施形態に係る杖で靴べらの踵すべり部の挿入を示す縦断面図であり、（ａ）は規制部材の構造、（ｂ）は膨出部の構造である。
【図１１】さらに別の実施形態に係る杖で靴べらの踵すべり部の挿入を示す縦断面図であり、（ａ）は上側杖本体への挿入状態、（ｂ）は下側杖本体への挿入状態である。
【図１２】さらに別の実施形態に係る杖の靴べらを示す分解斜視図である。
【図１３】上記杖で靴べらの軸部の挿抜を示す縦断面図であり、（ａ）はロック状態、（ｂ）は切換状態、（ｃ）はロック解除状態である。
【図１４】さらに別の実施形態に係る杖の靴べらを示す概略の縦半断面図である。
【図１５】さらに別の実施形態に係る杖で靴べらの握持部の抜け止め構造を示す縦断面図である。
【発明を実施するための形態】
【００１５】
以下、本発明に係る靴べら収納杖の実施の形態を図面に基づいて説明する。まず、図１及び図２に示すように、この靴べら収納杖１は、杖本体２と、この杖本体２の上端に設けられたグリップ３と、その杖本体２の内部に挿脱自在に収納される靴べら５とからなる。
【００１６】
杖本体２は、横断面が円形状をなす長尺の中空パイプが用いられ、軽量強固なアルミニウム合金製やカーボンファイバー製が好適である。杖本体２の内部には、その杖本体２の上端から下向きに長尺で中空の靴べら収納部２１が設けられている。本実施形態では、杖本体２が中空パイプなので、このパイプ内が靴べら収納部２１に相当する。なお、杖本体２は上側杖本体２Ａと下側杖本体２Ｂとにより伸縮可能であり、その接続部分には調整リング２２が装着されている。また、杖本体２の下端には、すべり防止用のゴム足４が交換可能に嵌着されている。
【００１７】
次に、図１及び図３に示すように、手で握るためのグリップ３は、いわゆるＬ字型やＴ字型のものであり、例えば合成樹脂材料によって成形され、杖本体２の上端に着脱不要に固定されている。そして、グリップ３には、特徴的な構成である靴べら挿脱用の貫通孔として、平面ほぼ楕円形状をなす貫通孔３１が形成されている。この貫通孔３１は、グリップ３の上端で開口３２となってグリップ３を貫通し、杖本体２の靴べら収納部２１に連通している。なお、貫通孔３１は、その長軸方向をグリップ３の握り長手方向と一致させており、杖本体２の靴べら収納部２１の上方でその円形部分を含む形状となっている。さらに、貫通孔３１の長径は靴べら収納部２１の直径よりも大きくなっているが、貫通孔３１の短径は靴べら収納部２１の直径とほぼ等しくなっている。
【００１８】
そして、貫通孔３１の長軸方向の両側には、靴べらガイド用のガイド部として、下向きで幅狭となる一対のテーパー曲面３３が設けられている。これらのテーパー曲面３３は、貫通孔３１の長軸方向の内面で靴べら収納部２１の円形部分に連なる曲面である。なお、貫通孔３１の開口３２の全周囲は、グリップ３の上端で段付きの凹部３６となっている。
【００１９】
次に、図１及び図４に示すように、靴べら５は、足腰を深く曲げずに靴を履けるように、長尺の軸部５１と、この軸部５１の下端に設けられた踵すべり部５２と、その軸部５１の上端に設けられた握持部６１とからなる。軸部５１と踵すべり部５２とは、例えばポリプロピレン等の合成樹脂材料によって成形され、軸部５１は全体的に剛性を持たせている。なお、軸部５１の幅方向外寸は、杖本体２の靴べら収納部２１の直径部分に挿入可能な寸法である。
【００２０】
靴べら５の軸部５１は、特徴的な構成として、互いに軸方向に摺動される上側スライド板５１Ａと下側スライド板５１Ｂとからなる。そして、上側スライド板５１Ａの裏面と下側スライド板５１Ｂの表面とが摺接され、その全体の長さが伸長状態と短縮状態とで伸縮可能に構成されている。なお、下側スライド板５１Ｂの上端には、上側スライド板５１Ａの両側縁を保持する保持部７１が形成され、この保持部７１の両側は前記グリップ３における貫通孔３１のテーパー曲面３３に対応するテーパー面となっている。
【００２１】
そして、図４及び図５に示すように、上側スライド板５１Ａの下端寄りには弾性変形可能なロックアーム７２が一体に成形され、その先端裏側に矩形ピン状の係合突部７３が形成されている。また、ロックアーム７２には作動突片７４が形成され、ロックアーム７２が弾性復元した状態で作動突片７４は上側スライド板５１Ａの側方に突出されている。また、下側スライド板５１Ｂの上端寄りには矩形状の被係合溝７５が形成され、この被係合溝７５に連続する逃げ溝７６が長手方向に沿って形成されている。なお、上側スライド板５１Ａの下端寄りの裏側にはガイド部材７７が設けられ、このガイド部材７７を摺動案内するガイド孔７８が下側スライド板５１Ｂの長手方向に沿って形成されている。
【００２２】
したがって、図６（ａ）に示すように、上側スライド板５１Ａにおけるロックアーム７２の係合突部７３が弾性により下側スライド板５１Ｂの被係合溝７５に係合されることによって、上側スライド板５１Ａ及び下側スライド板５１Ｂつまり軸部５１は伸長状態で一体的にロックされる。また、図６（ｂ）に示すように、係合突部７３が弾性に抗して被係合溝７５から離脱されてロック解除されると、図６（ｃ）に示すように、係合突部７３は逃げ溝７６に沿って移動されるので、上側スライド板５１Ａが下側スライド板５１Ｂに対して摺動可能になって軸部５１は短縮状態をとり得る。
【００２３】
次に、図１及び図４に示すように、靴べら５の踵すべり部５２は、軸部５１における下側スライド板５１Ｂの下端に一体に成形され、ほぼ長方形状で先端が円弧状をなし、その表面５３が滑らかな踵すべり面となっている。踵すべり部５２の裏面の中央部は、下側スライド板５１Ｂから連続して剛性を有する軸芯５４となっており、この軸芯５４の両側部分における踵すべり部５２が弾性変形可能である。そして、踵すべり部５２は全体的に同じ肉厚で形成され、その踵すべり部５２の裏面で軸芯５４の両側には、それぞれ例えば３本の線状溝５５が軸方向に沿って形成されている。これらの線状溝５５によって、踵すべり部５２の弾性変形が幅方向（図８参照）のみに限定され、軸方向では変形不可に規制されている。なお、踵すべり部５２は全体的に幅方向に弾性変形可能であってもよく、軸方向に弾性変形可能であってもよい。
【００２４】
そして、踵すべり部５２は、図示のように弾性復元した通常状態で、表面５３が緩やかな凹となるように予め成形されている。さらに特徴的な点として、図８（ａ）及び図８（ｂ）に示すように、踵すべり部５２の幅方向外寸Ｗは、杖本体２の靴べら収納部２１の幅方向内寸Ｐよりも幅広に形成されている。すなわち、前記グリップ３の貫通孔３１の長径≧Ｗ＞Ｐとなっている。本実施形態では、例えば外寸Ｗが２２ｍｍ程度、内寸Ｐが１３ｍｍ程度である。また、踵すべり部５２の長さＬは６０ｍｍ程度である。
【００２５】
次に、図１及び図４に示すように、靴べら５を握り持つための握持部６１は、好適には前記グリップ３と同一材料によって成形され、軸部５１における上側スライド板５１Ａの上端に取り付けられる。握持部６１はグリップ３の上端の凹部３６と対応し、握持部６１の下部のボス６２はグリップ３の貫通孔３１と対応している。そして、上側スライド板５１Ａの上端の係合部７９がボス６２の内部に弾性的に係合されることによって、握持部６１が上側スライド板５１Ａの上端に組み付けられる。このような構造にしたのは、軸部５１または踵すべり部５２が破損した場合に、これを握持部６１から取り外して交換可能にするためである。
【００２６】
次に、上述した靴べら収納杖における靴べら５の挿入及び抜出について説明する。まず先に、靴べら５の挿抜に伴う軸部５１の伸縮について説明し、その後に、靴べら５の挿入による踵すべり部５２の湾曲について説明する。
【００２７】
図７（ａ）において、靴べら５の踵すべり部５２を下向きにしてグリップ３の上端から貫通孔３１に挿入させる。このとき、上述したように、上側スライド板５１Ａ及び下側スライド板５１Ｂつまり軸部５１は伸長状態で一体的にロックされており、靴べら５の全体長はＬＬとなっている。
【００２８】
そして、靴べら５の挿入を継続させていくと、図６（ａ）に示すように、上側スライド板５１Ａにおけるロックアーム７２の作動突片７４が、グリップ３における貫通孔３１のテーパー曲面３３に次第に当接されていき、ロックアーム７２が弾性に抗して内側に押圧されていく。さらに挿入を継続させていくと、図６（ｂ）に示すように、下側スライド板５１Ｂの上端の保持部７１が貫通孔３１のテーパー曲面３３に当接されることによって、下側スライド板５１Ｂの下方移動が停止される。これとほぼ同時に、ロックアーム７２の係合突部７３が弾性に抗して下側スライド板５１Ｂの被係合溝７５から離脱され、伸長状態の軸部５１はロック解除される。
【００２９】
このとき、図７（ｂ）に示すように、靴べら５の踵すべり部５２及び軸部５１の下側スライド板５１Ｂが、杖本体２の靴べら収納部２１に収納された状態である。なお、杖本体２において上側杖本体２Ａの下端内部に下側杖本体２Ｂの上端が挿入されているので、上側杖本体２Ａの靴べら収納部２１として許容される収納深さはＬＨである。なお、上側杖本体２Ａ及び下側杖本体２Ｂにおいて、その接続構造や伸縮機構などは周知のものを適宜に採用し得る。
【００３０】
さらに引き続いて、図６（ｃ）に示すように、ロック解除された軸部５１の上側スライド板５１Ａのみを下方に挿入させていく。すると、図７（ｃ）に示すように、上側スライド板５１Ａも靴べら収納部２１に完全に収納され、下側スライド板５１Ｂに重なって下方移動が停止される。つまり、軸部５１は短縮状態に変化されて、靴べら５の全体長はＬＳとなる。なお、本実施形態では、靴べら５の伸長時の全体長ＬＬは約６０ｃｍ、短縮時の全体長ＬＳは約４０ｃｍ、靴べら収納部２１の収納深さＬＨは約４５ｃｍである。
【００３１】
次に、靴べら５の抜出は挿入の逆動作で行なわれる。すなわち、図７（ｃ）において、靴べら５を靴べら収納部２１から上方に抜出させていく。すると、図７（ｂ）に示すように、軸部５１の上側スライド板５１Ａが靴べら収納部２１から抜出され、軸部５１が伸長状態でロックされる。そして、図７（ａ）において、靴べら５が靴べら収納部２１から完全に抜出される。
【００３２】
上記の抜出動作中、図６（ｃ）においては、ロック解除された軸部５１の上側スライド板５１Ａだけが上方に抜出される。つまり、後述するが、靴べら５の収納時には踵すべり部５２が湾曲して靴べら収納部２１の内面に摺接されているので、ロック解除中は下側スライド板５１Ｂの停止状態が維持される。そして、図６（ｂ）において、ロックアーム７２の係合突部７３が逃げ溝７６の上端に当接されると、下側スライド板５１Ｂも上方移動が開始される。これとほぼ同時に、係合突部７３が弾性により被係合溝７５に係合されていき、ロック状態に切換えられる。この後は、図６（ａ）に示すように、ロックされた上側スライド板５１Ａと下側スライド板５１Ｂとが一体的に上方に抜出される。
【００３３】
上述したように、この靴べら収納杖は、靴べら５の軸部５１を軸方向における伸長状態と短縮状態とで伸縮可能にするとともに、この軸部５１を伸長状態でロックするロック手段を設けており、靴べら５を杖本体２の靴べら収納部２１に挿入させる際には、その挿入に伴って軸部５１を伸長状態からロック解除して短縮状態に変化させ、靴べら５を杖本体２の靴べら収納部２１から抜出させる際には、その抜出に伴って軸部５１を短縮状態から伸長状態に変化させてロックするように構成したものである。
【００３４】
そして、この靴べら収納杖によれば、靴べら収納部２１の収納深さＬＨが十分にとれない場合でも、靴べら５の全体長を伸長ＬＬと短縮ＬＳとで挿抜に伴って自動的に変化させるので、長尺の靴べら５を確実かつ容易に挿抜することができる。したがって、靴べら５を使用する度に軸部５１を両手で伸縮させるような煩わしい操作をすることなく、杖のグリップ３を握ったまま長尺の靴べら５を簡単かつ安全に使用することが可能となる。
【００３５】
また、本実施形態においては、靴べら５の軸部５１が、上側スライド板５１Ａと下側スライド板５１Ｂとからなり、軸部５１のロック手段が、上側スライド板５１Ａに形成された弾性を有するロックアーム７２と、このロックアーム７２に形成された係合突部７３及び作動突片７４と、下側スライド板５１Ｂに形成された被係合溝７５とからなり、ロックアーム７２の係合突部７３を弾性により被係合溝７５に係合させて軸部５１を伸長状態でロックし、杖本体２の靴べら収納部２１に対する靴べら５の挿入に伴って、ロックアーム７２の作動突片７４を貫通孔３１のテーパー曲面３３に当接させることによって、係合突部７３を弾性に抗して被係合溝７５から離脱させてロック解除するように構成したものである。
【００３６】
したがって、本実施形態によれば、上側スライド板５１Ａと下側スライド板５１Ｂ及びロックアーム７２等によって、軸部５１の伸縮機構及びロック手段が簡単な構造になるので、部品点数の削減により低コスト化を図ることができる。また、靴べら５の挿抜に伴って貫通孔３１のテーパー曲面３３を利用してロックアーム７２を作動させるので、ロック及びロック解除による軸部５１の伸縮動作を確実に行なうことができる。
【００３７】
ところで、上述した実施形態においては、上側スライド板５１Ａのロックアーム７２と下側スライド板５１Ｂの保持部７１とを接近させて、靴べら５の挿入の際に、下側スライド板５１Ｂの下方移動が停止されるとほぼ同時に、ロックアーム７２による軸部５１の伸長状態でのロックが解除される構成を図説した。これと異なり、上側スライド板５１Ａのロックアーム７２と下側スライド板５１Ｂの保持部７１とを適宜に離間させて、靴べら５の挿入の際に、下側スライド板５１Ｂの下方移動が停止されるよりも先に、ロックアーム７２による軸部５１の伸長状態でのロックが解除される構成にしてもよい。この場合は、伸長状態での上側スライド板５１Ａと下側スライド板５１Ｂとの重なり部分を適宜に長くとれるので、強度的により有利な構造にすることができる。
【００３８】
なお、ロックアーム７２は上側スライド板５１Ａに簡単に一体成形できるので、そのロックアーム７２を上側スライド板５１Ａの両側に対称状に一対で設けてもよい。また、上述の実施形態とは逆に、係合突部７３及び作動突片７４を有するロックアーム７２を下側スライド板５１Ｂに一体成形し、被係合溝７５及び逃げ溝７６を上側スライド板５１Ａに形成してもよい。
【００３９】
次に、靴べら５の挿入による踵すべり部５２の湾曲について説明する。図１及び図３において、靴べら５の踵すべり部５２を下向きにしてグリップ３の上端から貫通孔３１に挿入させる。図８（ａ）に示すように、本実施形態では、グリップ３の貫通孔３１が平面ほぼ楕円形状なので、靴べら５の踵すべり部５２の幅方向を貫通孔３１の長軸方向に適宜に合わせるだけで、踵すべり部５２の向きを考慮しないで挿入することができる。
【００４０】
そして、どちら向きでも貫通孔３１への踵すべり部５２の挿入に伴って、一対のテーパー曲面３３によって踵すべり部５２が確実に誘導されて、踵すべり部５２は弾性に抗して幅方向に湾曲していく。なお、踵すべり部５２の表面５３が予め緩やかな凹となっているので、挿入初期には両テーパー曲面３３による誘導湾曲がより円滑になる。
【００４１】
このようにして、図８（ａ）から図８（ｂ）に示すように、杖本体２の靴べら収納部２１の幅方向内寸Ｐよりも幅広の幅方向外寸Ｗを有する踵すべり部５２が、杖本体２の靴べら収納部２１に極めてスムーズに導入される。このとき、踵すべり部５２は複数本の線状溝５５によって効果的に湾曲するので、踵すべり部５２は靴べら収納部２１の内面に沿って円滑に摺接される。さらに、踵すべり部５２の弾性変形が幅方向のみに限定され、軸方向では変形不可に規制されているので、靴べら収納部２１への導入時には踵すべり部５２の不要な撓みや捩れを防止できる。
【００４２】
この挿入を続けていくと、靴べら５がグリップ３の上端から貫通孔３１を通して杖本体２の靴べら収納部２１までスムーズに収納される。そして、図１及び図２において、靴べら５が杖本体２の靴べら収納部２１に完全に収納された際には、靴べら５の握持部６１及びボス６２がグリップ３の凹部３６及び貫通孔３１に嵌合され、握持部６１によって開口３２が閉塞される。
【００４３】
次に、靴べら５を杖本体２の靴べら収納部２１から抜き出す際は、グリップ３の凹部３６に設けられた一対の指掛け３９を利用して握持部６１を凹部３６から上方へ取り外す。そして上述の逆動作で、靴べら５の握持部６１を持って靴べら５を杖本体２及びグリップ３から抜き出していくと、靴べら５の踵すべり部５２は弾性により幅広状態に復元する。そして、この長尺の靴べら５を使用して靴を履くことができる。このとき、靴べら５の踵すべり部５２の弾性変形が幅方向のみに限定され、軸方向では変形不可に規制されているので、踵すべり部５２による靴履き機能を良好にできる。
【００４４】
上述したように、この靴べら収納杖によれば、靴べら５を杖本体２から出し入れする際に、グリップ３を杖本体２から着脱する必要がなくなる。これによって、靴べら５を杖本体２から抜き出して靴を履いた後に靴べら５を杖本体２に収納するまでの間、グリップ３を握って身体を支えるという杖としての本来機能が全く損なわれないので、靴べら５の使用時の安全性及び安心感を高めることができる。また、杖本体２を大径化することなく、杖本体２よりも幅広（Ｗ＞Ｐ）の踵すべり部５２を有する靴べら５を採用して、この靴べら５を杖本体２に極めてスムーズに収納することが可能となる。このため、靴べら５の幅広の踵すべり部５２を使って靴を履く際に、その利便性を十分に生かすことができる。
【００４５】
以下に、靴べら収納杖における別の実施形態について、その要部の図面を参照して説明する。なお、上述した実施形態と同様な構成部分には同一の符号を付す。
【００４６】
まず図９は、別の実施形態に係る杖の靴べらで軸部のロック手段を示す。上側スライド板５１Ａの弾性変形可能なロックアーム７２には、その先端裏側に矩形ピン状の係合突部８３が形成されている。また、下側スライド板５１Ｂには矩形状の被係合孔８５が形成され、この被係合孔８５に連続する逃げ孔８６が長手方向に沿って形成されている。そして、被係合孔８５及び逃げ孔８６に挿入される係合突部８３の先端には、裏側から被係合孔８５及び逃げ孔８６を覆うように、板状のカバーフランジ８７が固着される。
【００４７】
この実施形態によれば、カバーフランジ８７によって係合突部８３の抜け止めがなされるので、ロック手段である係合突部８３と被係合孔８５及び逃げ孔８６とが、上側スライド板５１Ａと下側スライド板５１Ｂとの摺動ガイドを兼用することができる。これによって、図５で前述した別個のガイド部材７７及びガイド孔７８を不要にした上で、上側スライド板５１Ａと下側スライド板５１Ｂとの摺動を確実に行なうことができる。
【００４８】
次に図１０は、さらに別の実施形態に係る杖で靴べらの踵すべり部の挿入を示す。本実施形態は、杖本体２における靴べら５の収納時で軸部５１のロック解除中に、下側スライド板５１Ｂの停止状態の維持をより積極的に行なうものである。図１０（ａ）においては、杖本体２の内部に円形リング状の規制部材２３が嵌入され、この規制部材２３の内側面は緩やかな円弧状に突出されている。また、図１０（ｂ）においては、杖本体２それ自体の一部に円筒状の膨出部２４が形成され、この膨出部２４は若干の大径となっている。
【００４９】
この実施形態によれば、靴べら５を杖本体２に収納させる際、踵すべり部５２を湾曲させて靴べら収納部２１の内面に摺接させるが、図１０（ａ）においては、規制部材２３を乗り越えて踵すべり部５２を挿入させる。また、図１０（ｂ）においては、膨出部２４によって踵すべり部５２の湾曲を少し緩めて挿入させる。したがって両方とも、踵すべり部５２つまり下側スライド板５１Ｂの上方移動に対しては負荷が増加するので、ロック解除中に下側スライド板５１Ｂの停止状態を維持させることができる。
【００５０】
次に図１１は、さらに別の実施形態に係る杖で靴べらの踵すべり部の挿入を示す。杖本体２における上側杖本体２Ａと下側杖本体２Ｂとの接続部分に、踵すべり部５２のための導入部材９１が嵌入されている。この導入部材９１は円筒状をなし、その上側にテーパー面９２が設けられている。なお。本実施形態では、挿入される踵すべり部５２が既に湾曲しているので、導入部材９１のテーパー面９２は円形環状に形成されている。
【００５１】
この実施形態によれば、図１１（ａ）において、踵すべり部５２を弾性に抗して幅方向に湾曲させて上側杖本体２Ａの内部に収納させる。ここで、靴べら収納部２１の収納深さが不足している場合、さらに踵すべり部５２を下方に挿入させる。すると、図１１（ｂ）に示すように、導入部材９１のテーパー面９２によって、さらに踵すべり部５２を幅方向に湾曲させて、下側杖本体２Ｂの内部までスムーズに導入させることができる。
【００５２】
次に図１２及び図１３は、さらに別の実施形態に係る杖の靴べら及びその軸部の挿抜を示す。この靴べら１０５の軸部１５１は、特徴的な構成として、互いに軸方向に摺動される上側スライド管１５１Ａと下側スライド管１５１Ｂとからなる。そして、上側スライド管１５１Ａが下側スライド管１５１Ｂの外側に嵌挿され、その全体の長さが伸長状態と短縮状態とで伸縮可能に構成されている。上側スライド管１５１Ａ及び下側スライド管１５１Ｂは、横断面が円形状をなす長尺の中空パイプが用いられ、下側スライド管１５１Ｂの下端に踵すべり部１５２が一体に成形されている。なお、本実施形態の特徴的な構成として、踵すべり部１５２の幅方向外寸は、上側スライド管１５１Ａの外径とほぼ等しく、杖本体２の靴べら収納部２１の直径部分に挿入可能な寸法である。よって、踵すべり部１５２は靴べら収納部２１よりも幅広でないので、必ずしも幅方向に弾性変形可能でなくてもよい。
【００５３】
そして、下側スライド管１５１Ｂの上端寄りには、直径方向で一対の球状の係合突部１７３が配設されている。つまり、下側スライド管１５１Ｂの内部にホルダー部材１７１が配置され、このホルダー部材１７１内のバネ１７２により一対の係合突部１７３が弾性的に突出可能となっている。また、上側スライド管１５１Ａの下端寄りには、直径方向で一対の円形状の被係合孔１７５が形成されている。
【００５４】
したがって、図１３（ａ）に示すように、下側スライド管１５１Ｂの係合突部１７３が弾性により上側スライド管１５１Ａの被係合孔１７５に係合されることによって、上側スライド管１５１Ａ及び下側スライド管１５１Ｂつまり軸部１５１は伸長状態で一体的にロックされる。そして、図１３（ｂ）に示すように、下側スライド管１５１Ｂの下方移動が停止されて、さらに上側スライド管１５１Ａが下方に押し込まれる。すると、図１３（ｃ）に示すように、係合突部１７３が弾性に抗して被係合孔１７５から離脱されてロック解除され、上側スライド管１５１Ａが下側スライド管１５１Ｂに対して摺動可能になって軸部１５１は短縮状態をとり得る。
【００５５】
また、軸部１５１の抜出は挿入の逆動作で行なわれる。つまり、図１３（ｃ）において上側スライド管１５１Ａが上方に移動されると、図１３（ｂ）において下側スライド管１５１Ｂに対してロックされ、図１３（ａ）において軸部１５１が一体的に抜出される。なお、軸部１５１のロック解除中に下側スライド管１５１Ｂの停止状態を維持させるには、例えば、杖本体２の靴べら収納部２１に収納された踵すべり部１５２を保持すればよい。
【００５６】
この実施形態においては、靴べら１０５を杖本体２の靴べら収納部２１に挿入させる際には、その挿入に伴って軸部１５１を伸長状態からロック解除して短縮状態に変化させ、靴べら１０５を杖本体２の靴べら収納部２１から抜出させる際には、その抜出に伴って軸部１５１を短縮状態から伸長状態に変化させてロックする。したがって、この実施形態によれば、前述した実施形態と同様に、靴べら収納部２１の収納深さが十分にとれない場合でも、長尺の靴べら１０５を確実かつ容易に挿抜することができる。
【００５７】
また、この実施形態においては、靴べら１０５の踵すべり部１５２は幅広でなく必ずしも幅方向に弾性変形可能でなくてもよいので、軸部１５１及び踵すべり部１５２として、合成樹脂材料に限定されず弾性変形しない剛性材料を用いることが可能になる。これによって、靴べら１０５として強固で耐久性の高い軸部１５１及び踵すべり部１５２を得ることができる。
【００５８】
次に図１４は、さらに別の実施形態に係る杖の靴べらを示す。この靴べら２０５の軸部２５１は、特徴的な構成として、互いに軸方向に摺動される４本のスライド軸部材２５１Ａ・２５１Ｂ・２５１Ｃ・２５１Ｄからなる。そして、これらが内周及び外周において順次に嵌挿され、その全体の長さが伸長状態と短縮状態とで伸縮可能に構成されている。スライド軸部材２５１Ａ・２５１Ｂ・２５１Ｃは、横断面が円形状（矩形状や楕円形状なども可）の中空パイプが用いられ、スライド軸部材２５１Ｄの下端に踵すべり部２５２が一体に成形されている。また、スライド軸部材２５１Ａ・２５１Ｂ・２５１Ｃ・２５１Ｄの接続部２７３Ａ・２７３Ｂ・２７３Ｃは、それぞれ伸長状態で摩擦嵌合によってロック可能であり、ロック解除されると摺動可能になる。
【００５９】
この実施形態によれば、靴べら２０５を杖本体の靴べら収納部に挿入させる際には、その挿入に伴って軸部２５１を伸長状態からロック解除して短縮状態に変化させ、靴べら２０５を杖本体の靴べら収納部から抜出させる際には、その抜出に伴って軸部２５１を短縮状態から伸長状態に変化させてロックする。したがって、この実施形態のように、軸部２５１として３本以上のスライド軸部材２５１Ａ・２５１Ｂ・２５１Ｃ・２５１Ｄを用いた伸縮機構でも、前述した実施形態と同様に、靴べら収納部の収納深さが十分にとれない場合に、長尺の靴べら２０５を確実かつ容易に挿抜することができる。
【００６０】
ところで、図１及び図２で前述したように、靴べら５が杖本体２の靴べら収納部２１に完全に収納された際には、靴べら５の握持部６１及びボス６２がグリップ３の凹部３６及び貫通孔３１に嵌合され、握持部６１によって開口３２が閉塞される。このとき、靴べら５の軸部５１はロック解除されているので、停止状態を維持する下側スライド板５１Ｂに対して上側スライド板５１Ａが摺動して、握持部６１及びボス６２が凹部３６及び貫通孔３１から不測に抜け出てしまう危惧がある。
【００６１】
そこで図１５は、さらに別の実施形態に係る杖で靴べらの握持部の抜け止め構造を示す。すなわち、握持部６１のボス６２の下面には、棒状に延出するロック部６３が弾性変形可能に一体成形されている。そして、（ａ）から（ｂ）に示すように、握持部６１及びボス６２が凹部３６及び貫通孔３１に嵌合される際に、ロック部６３は貫通孔３１の内面に当接しつつ弾性に抗して挿入されていき、そのロック部６３が杖本体２の上端内面に弾性的に接触される。
【００６２】
この実施形態によれば、握持部６１及びボス６２が凹部３６及び貫通孔３１に嵌合されると、ロック部６３が杖本体２の上端内面を弾性的に押圧して摩擦力を発生させているので、握持部６１及びボス６２が嵌合状態でロックされる。したがって、凹部３６及び貫通孔３１からの握持部６１及びボス６２の抜け止めが効果的に行なわれ、握持部６１による開口３２の閉塞状態を確実に維持することができる。
【００６３】
以上、本発明に係る靴べら収納杖の実施の形態について説明したが、本発明の実施形態は各種の有効な変更や応用が可能である。例えば、杖本体に対して長尺の靴べらを伸縮させて挿抜できるのが特徴であるが、その杖本体が伸縮可能や分割可能であることは必須要件ではない。また、靴べらの伸縮可能な軸部及びロック手段などは、実施形態の他にも様々な有効な構成を採用し得る。
【符号の説明】
【００６４】
１  靴べら収納杖
２  杖本体
２Ａ  上側杖本体
２Ｂ  下側杖本体
２１  靴べら収納部
２２  調整リング
２３  規制部材
２４  膨出部
３  グリップ
３１  貫通孔
３２  開口
３３  テーパー曲面（ガイド部）
３６  凹部
５  靴べら
５１  軸部
５１Ａ  上側スライド板（上側軸部材）
５１Ｂ  下側スライド板（下側軸部材）
５２  踵すべり部
５３  表面
５４  軸芯
５５  線状溝
６１  握持部
６２  ボス
６３  ロック部
７１  保持部
７２  ロックアーム
７３  係合突部
７４  作動突片
７５  被係合溝
７６  逃げ溝
７７  ガイド部材
７８  ガイド孔
Ｗ  踵すべり部の幅方向外寸
Ｐ  靴べら収納部の幅方向内寸
ＬＬ  靴べらの伸長時の全体長
ＬＳ  靴べらの短縮時の全体長
ＬＨ  靴べら収納部の収納深さ
８３  係合突部
８５  被係合孔
８６  逃げ孔
８７  カバーフランジ
９１  導入部材
９２  テーパー面
１０５  靴べら
１５１  軸部
１５１Ａ  上側スライド管（上側軸部材）
１５１Ｂ  下側スライド管（下側軸部材）
１５２  踵すべり部
１７１  ホルダー部材
１７２  バネ
１７３  係合突部
１７５  被係合孔
２０５  靴べら
２５１  軸部
２５１Ａ・２５１Ｂ・２５１Ｃ・２５１Ｄ  スライド軸部材
２５２  踵すべり部
２７３Ａ・２７３Ｂ・２７３Ｃ  接続部
【図１】
2016193155.tif 000003
【図２】
2016193155.tif 000004
【図３】
2016193155.tif 000005
【図４】
2016193155.tif 000006
【図５】
2016193155.tif 000007
【図６】
2016193155.tif 000008
【図７】
2016193155.tif 000009
【図８】
2016193155.tif 000010
【図９】
2016193155.tif 000011
【図１０】
2016193155.tif 000012
【図１１】
2016193155.tif 000013
【図１２】
2016193155.tif 000014
【図１３】
2016193155.tif 000015
【図１４】
2016193155.tif 000016
【図１５】
2016193155.tif 000017